(57)【要約】【課題】収容部に同形状の小物を重ねて入れた場合でも、下側の小物を容易に取り出すことができる小物入れ装置の提供。【解決手段】底壁２０と、底壁２０から上方に立ち上がる奥壁２１と、底壁２０から上方に立ち上がり互いに対向する２つの側壁２２を有し、収容部２３が前方に開口する小物入れ装置であって、奥壁２１の内面２１ａに上面が傾斜面３１の突起３０が設けられており、傾斜面３１は前方に斜め下方に傾斜しており、奥壁２１と側壁２２との角部に斜面４０が形成されており、斜面４０は前方および収容部の幅方向中央に向って斜め下方に傾斜している、小物入れ装置１０。【選択図】　　　　図１
2004042733.tif 000002
【特許請求の範囲】
【請求項１】
底壁と、該底壁から上方に立ち上がる奥壁と、前記底壁から上方に立ち上がり互いに対向する２つの側壁を有し、収容部が前方に開口する小物入れ装置であって、
前記奥壁の内面に上面が傾斜面の突起が設けられており、該傾斜面は前方に斜め下方に傾斜している、小物入れ装置。
【請求項２】
底壁と、該底壁から上方に立ち上がる奥壁と、前記底壁から上方に立ち上がり互いに対向する２つの側壁を有し、収容部が前方に開口する小物入れ装置であって、
前記奥壁と側壁との角部に斜面が形成されており、該斜面は前方および収容部の幅方向中央に向って斜め下方に傾斜している、小物入れ装置。
【請求項３】
底壁と、該底壁から上方に立ち上がる奥壁と、前記底壁から上方に立ち上がり互いに対向する２つの側壁を有し、収容部が前方に開口する小物入れ装置であって、
前記奥壁の内面に上面が傾斜面の突起が設けられており、該傾斜面は前方に斜め下方に傾斜しており、
前記奥壁と側壁との角部に斜面が形成されており、該斜面は前方および収容部の幅方向中央に向って斜め下方に傾斜している、
小物入れ装置。
【発明の詳細な説明】
【０００１】
【発明の属する技術分野】
本発明は、小物入れ装置に関する。
【０００２】
【従来の技術】
従来の、収容部が前方に開口する小物入れ装置を、図７、図８を参照して、説明する。
従来の小物入れ装置１は、底壁１ａと、奥壁１ｂを有する。
奥壁１ｂの内面は、平面である。奥壁１ｂの内面は、底壁１ａの上面に直交する面であるか、または、底壁１ａの上面に直交する面から型抜きのために３°程度傾いた面である。
【０００３】
【発明が解決しようとする課題】
奥壁１の内面が、底壁１ａの上面と直交する平面であるか、または、底壁１ａの上面と直交する平面から３°程度しか傾いていないため、つぎの問題点（課題）がある。
▲１▼　２個以上の同形状の小物、たとえばＣＤ（コンパクトディスク）ケース、ＭＤ（ミニディスク）ケース等のケース２を、同じ向きに重ねて収容部１ｃに入れた場合（図７参照）、上下のケース２ａ、２ｂの前方側端の位置が等しくなり、下側のケース２ｂを取り出し難い。
▲２▼　２個以上の同形状の小物、たとえばＣＤケース、ＭＤケース等のケース２を、上側のケース２ａを縦に入れ下側のケース２ｂを横にして重ねて収容部１ｃに入れた場合（図８参照）、下側のケース２ｂの前方側端位置が上側のケース２ａの前方側端位置より奥側に位置し、ケース２を同じ向きに重ねて収容部１ｃに入れた場合より、下側のケース２ｂを取り出し難い。
本発明の目的は、収容部に同形状の小物を重ねて入れた場合でも、下側の小物を容易に取り出すことができる小物入れ装置を提供することにある。
【０００４】
【課題を解決するための手段】
上記目的を達成する本発明はつぎの通りである。
（１）　底壁と、該底壁から上方に立ち上がる奥壁と、前記底壁から上方に立ち上がり互いに対向する２つの側壁を有し、収容部が前方に開口する小物入れ装置であって、
前記奥壁の内面に上面が傾斜面の突起が設けられており、該傾斜面は前方に斜め下方に傾斜している、小物入れ装置。
（２）　底壁と、該底壁から上方に立ち上がる奥壁と、前記底壁から上方に立ち上がり互いに対向する２つの側壁を有し、収容部が前方に開口する小物入れ装置であって、
前記奥壁と側壁との角部に斜面が形成されており、該斜面は前方および収容部の幅方向中央に向って斜め下方に傾斜している、小物入れ装置。
（３）　底壁と、該底壁から上方に立ち上がる奥壁と、前記底壁から上方に立ち上がり互いに対向する２つの側壁を有し、収容部が前方に開口する小物入れ装置であって、
前記奥壁の内面に上面が傾斜面の突起が設けられており、該傾斜面は前方に斜め下方に傾斜しており、
前記奥壁と側壁との角部に斜面が形成されており、該斜面は前方および収容部の幅方向中央に向って斜め下方に傾斜している、
小物入れ装置。
【０００５】
上記（１）または（３）の小物入れ装置では、同形状の小物、たとえばＣＤ（コンパクトディスク）ケース、ＭＤ（ミニディスク）ケース等のケースを重ねて収容部に入れた場合、ケースの奥側端が突起に接触する。ケースの奥側端が突起に接触するので、突起の傾斜面により下側のケースは上側のケースより前方に突出した状態になる。そのため、下側のケースの前方側端位置が上側のケースの前方側端位置より前方に位置し、下側のケースを容易に取り出すことができる。
上記（２）または（３）の小物入れ装置では、同形状の小物、たとえばＣＤ（コンパクトディスク）ケース、ＭＤ（ミニディスク）ケース等のケースを重ねて収容部に入れた場合、ケースの奥側の角部が斜面に接触する。ケースの奥側の角部が斜面に接触するので、斜面により下側のケースは上側のケースより前方に突出した状態になる。そのため、下側のケースの前方側端位置が上側のケースの前方側端位置より前方に位置し、下側のケースを容易に取り出すことができる。
【０００６】
【発明の実施の形態】
本発明実施例の小物入れ装置を、図１〜図６を参照して、説明する。
本発明実施例の小物入れ装置１０は、たとえば、車両の内装部材であるインスツルメントパネル、センタークラスター等に取り付けられる。ただし、小物入れ装置１０が取り付けられる場所は、車両の内装部材に限定されるものではない。
【０００７】
小物入れ装置１０は、図１に示すように、底壁２０と、底壁２０から上方に立ち上がる奥壁２１と、底壁２０から上方に立ち上がり互いに対向する２つの側壁２２を有し、収容部２３が前方に開口する小物入れ装置である。
奥壁２１の内面（収容部２３側の面）２１ａは、平面である。奥壁２１の内面２１ａは、底壁２０の上面２０ａと直交する面であるか、または、底壁２０の上面２０ａと直交する面から型抜きのために収容部２３の容積を大とする方向に３°程度だけ傾いた面である。
収容部２３は、１つの収容部からなっていてもよく、２つ以上の収容部からなっていてもよい（図示例では、２つの収容部からなる場合を示している）。以下、本発明実施例では、収容部２３が第１の収容部２３ａと第２の収容部２３ｂからなる場合を、例にとって説明する。
第１の収容部２３ａには、たとえば、ＣＤ（コンパクトディスク）ケース５１が収容される。第２の収容部２３ｂには、たとえば、ＭＤ（ミニディスク）ケース５２が収容される。ただし、収容される小物は限定されない。
【０００８】
小物入れ装置１０の収容部２３には、突起３０と斜面４０の少なくとも一方が設けられる。第１の収容部２３ａには、突起３０のみが設けられていてもよく、斜面４０のみが設けられていてもよく、突起３０と斜面４０の両方が設けられていてもよい。また、第２の収容部２３ｂには、突起３０のみが設けられていてもよく、斜面４０のみが設けられていてもよく、突起３０と斜面４０の両方が設けられていてもよい。図示例では、第１の収容部２３ａに突起３０のみが設けられており、第２の収容部２３ｂに突起３０と斜面４０の両方が設けられている場合を示している。以下、本発明実施例では、第１の収容部２３ａに突起３０のみが設けられ、第２の収容部２３ｂに突起３０と斜面４０の両方が設けられる場合を例にとって説明する。
【０００９】
突起３０は、奥壁２１の内面２１ａに少なくとも１個設けられる。突起３０は、奥壁２１と一体に形成されていてもよく、奥壁２１と別体に形成されて奥壁２１に固定して取り付けられていてもよい。
突起３０は、奥壁２１の内面２１ａから前方に（収容部２３内に）突出している。突起３０の上端３０ａは、奥壁２１の上端部２１ｂまたは奥壁２１の上下方向中間部に位置し、突起３０の下端３０ｂは、底壁２０の上面２０ａに連なっている。突起３０の上面は、前方に斜め下方に傾斜する傾斜面３１となっている。突起３０の傾斜面３１は、平面形状であってもよく、湾曲面形状であってもよく、２つの斜面の合成面であってもよく、総じて傾斜面となっていればよい。
【００１０】
斜面４０は、奥壁２１と、側壁２２との角部に、形成される。斜面４０は、前方および収容部２３の幅方向中央に向って斜め下方に傾斜している。
斜面４０の上端４０ａは、奥壁２１の上端部２１ｂおよび側壁２２の上端部２２ａに位置していてもよく（図１のイの位置にあってもよく）、奥壁２１の上下方向中間部および側壁２２の上下方向中間部に位置していてもよい（図１のロの位置にあってもよい）。図示例では、斜面４０の上端４０ａがイの位置にある場合を示している。斜面４０の下端４０ｂは、底壁２０の上面２０ａに連なっている。
斜面４０は、少なくとも３つの交線４１、４２、４３を有し、そのうちの１つの交線４１は底壁２０と交差し、そのうちの１つの交線４２は奥壁２１と交差し、そのうちの１つの交線４３は側壁２２と交差する。斜面４０は、平面形状であってもよく、湾曲面形状であってもよく、２つの斜面の合成面であってもよく、総じて斜面になっていればよい。
【００１１】
ここで、第１の収容部２３ａに、ＣＤケース５１を同じ向きに２枚重ねて入れる場合を説明する（図２参照）。
ＣＤケース５１を第１の収容部２３ａに入れる場合、ＣＤケース５１の奥側端が突起３０に当る。突起３０の傾斜面３１により、下側のＣＤケース５１ｂが上側のＣＤケース５１ａより前方に突出した状態になる。
【００１２】
つぎに、第２の収納部２３ｂに、ＭＤケース５２を２枚重ねて入れる場合を説明する。なお、以下、縦とは、ＭＤケース５２の長手方向が収納部２３への小物出し入れ方向と平行となっている状態であり、横とは、ＭＤケース５２の長手方向が収納部２３への小物出し入れ方向と直交している状態である。
▲１▼　ＭＤケース５２を上下共に縦に入れる場合を、図３を参照して、説明する。
ＭＤケース５２の奥側端が突起３０に当る。
下側のＭＤケース５２ｂは、突起３０の傾斜面３１により、上側のＭＤケース５２ａより前方に突出した状態になる。
【００１３】
▲２▼　ＭＤケース５２を上下共に横に入れた場合を、図４を参照して、説明する。
ＭＤケース５２の奥側の角部が斜面４０に当る。
下側のＭＤケース５２ｂは、斜面４０により、上側のＭＤケース５２ａより前方に突出した状態になる。
上側のＭＤケース５２ａの前方側端位置は、上記▲１▼（上下共に縦に入れた場合）の上側のＭＤケース５２ａの前方側端位置と同じかまたはほぼ同じ位置である。下側のＭＤケース５２ｂの前方側端位置は、上記▲１▼（上下共に縦に入れた場合）の下側のＭＤケース５２ｂの前方側端位置と同じかまたはほぼ同じ位置である。
【００１４】
▲３▼　ＭＤケース５２を上を縦に下を横に入れた場合を、図５を参照して、説明する。
上側のＭＤケース５２ａの奥側端が突起３０に当る。下側のＭＤケース５２ｂの奥側の角部が斜面４０に当る。
下側のＭＤケース５２ｂは、突起３０と斜面４０により、上側のＭＤケース５２ａより前方に突出した状態になる。
上側のＭＤケース５２ａの前方側端位置は、上記▲１▼（上下共に縦に入れた場合）の上側のＭＤケース５２ａの前方側端位置と同じかまたはほぼ同じ位置である。下側のＭＤケース５２ｂの前方側端位置は、上記▲１▼（上下共に縦に入れた場合）の下側のＭＤケース５２ｂの前方側端位置と同じかまたはほぼ同じ位置である。
【００１５】
▲４▼　ＭＤケース５２を上を横に下を縦に入れた場合を、図６を参照して、説明する。
上側のＭＤケース５２ａの奥側の角部が斜面４０に当る。下側のＭＤケース５２ｂの奥側端が突起３０に当る。
下側のＭＤケース５２ｂは、斜面４０と突起３０により、上側のＭＤケース５２ａより前方に突出した状態になる。
上側のＭＤケース５２ａの前方側端位置は、上記▲１▼（上下共に縦に入れた場合）の上側のＭＤケース５２ａの前方側端位置と同じかまたはほぼ同じ位置である。下側のＭＤケース５２ｂの前方側端位置は、上記▲１▼（上下共に縦に入れた場合）の下側のＭＤケース５２ｂの前方側端位置と同じかまたはほぼ同じ位置である。
【００１６】
つぎに、本発明実施例の作用を説明する。
突起３０が設けられており、突起３０の傾斜面３１は前方に斜め下方に傾斜しているので、同形状の小物、たとえばＣＤケース５１、ＭＤケース５２等のケース５０を重ねて収容部２３に入れた場合、ケース５０の奥側端が突起３０に接触する。ケース５０の奥側端が突起３０に接触するので、突起３０の傾斜面３１により下側のケース５０ｂは上側のケース５０ａより前方に突出した状態になる。そのため、下側のケース５０ｂの前方側端位置が上側のケース５０ａの前方側端位置より前方に位置し、下側のケース５０ｂの視認性、取り出し性が高まる。
また、傾斜面３１となっているので、ケース５０を収容部２３に重ねて収容し下側のケース５０ｂを取り出したとき、上側のケース５０ａが傾斜面３１上を下側のケース５０ｂがあった位置まで滑り落ち、上に位置していたときよりも前方に突出した状態になる。その上にケース５０を入れれば（入れたケース５０は新たに上側のケース５０ａになり）、上が下よりも引っ込んだ状態となる。
【００１７】
収容部２３に斜面４０が形成されており、斜面４０は前方および収容部２３の幅方向中央に向って斜め下方に傾斜しているので、ケース５０を重ねて収容部２３に収容した場合、ケース５０の奥側の角部が斜面４０に接触し、下側のケース５０ｂは上側のケース５０ａよりも前方に突出した状態になる。そのため、下側のケース５０ｂの前方側端位置が上側のケース５０ａの前方側端位置よりも前方に位置し、下側のケース５０ｂの視認性、取り出し性が高まる。
また、斜面４０となっているので、ケース５０を収容部２３に重ねて収容し下側のケース５０ｂを取り出したとき、上側のケース５０ａが斜面４０上を下側のケース５０ｂがあった位置まで滑り落ち、上に位置していたときよりも前方に突出した状態になる。その上にケース５０を入れれば（入れたケース５０は新たに上側のケース５０ａになり）、上が下よりも引っ込んだ状態となる。
【００１８】
突起３０と斜面４０の両方が設けられている場合、突起３０または斜面４０のみが設けられている場合に比べて、ケース５０の縦・横の寸法差が大であっても、下側のケース５０ｂを上側のケース５０ａよりも容易に前方に突出させることができる。
本発明実施例および図示例では、同形状の小物を２個重ねる場合を示しているが、突起３０と斜面３０の形状を工夫することにより、３枚以上使用する場合も２枚の場合と同様の効果を得ることができる。
【００１９】
【発明の効果】
請求項１または請求項３記載の小物入れ装置によれば、同形状の小物、たとえばＣＤ（コンパクトディスク）ケース、ＭＤ（ミニディスク）ケース等のケースを重ねて収容部に入れた場合、ケースの奥側端が突起に接触する。ケースの奥側端が突起に接触するので、突起の傾斜面により下側のケースは上側のケースより前方に突出した状態になる。そのため、下側のケースの前方側端位置が上側のケースの前方側端位置より前方に位置し、下側のケースを容易に取り出すことができる。
請求項２または請求項３記載の小物入れ装置によれば、同形状の小物、たとえばＣＤ（コンパクトディスク）ケース、ＭＤ（ミニディスク）ケース等のケースを重ねて収容部に入れた場合、ケースの奥側の角部が斜面に接触する。ケースの奥側の角部が斜面に接触するので、斜面により下側のケースは上側のケースより前方に突出した状態になる。そのため、下側のケースの前方側端位置が上側のケースの前方側端位置より前方に位置し、下側のケースを容易に取り出すことができる。
【図面の簡単な説明】
【図１】本発明実施例の小物入れ装置の、斜視図である。
【図２】本発明実施例の小物入れ装置の、第１の収容部にＣＤケースを入れ、第２の収容部にＭＤケースを入れた場合の、断面図である。
【図３】本発明実施例の小物入れ装置の、第２の収容部にＭＤケースを重ねて入れた場合であって、上側のＭＤケースを縦、下側のＭＤケースを縦にした場合の斜視図である。
【図４】本発明実施例の小物入れ装置の、第２の収容部にＭＤケースを重ねて入れた場合であって、上側のＭＤケースを横、下側のＭＤケースを横にした場合の斜視図である。
【図５】本発明実施例の小物入れ装置の、第２の収容部にＭＤケースを重ねて入れた場合であって、上側のＭＤケースを縦、下側のＭＤケースを横にした場合の斜視図である。
【図６】本発明実施例の小物入れ装置の、第２の収容部にＭＤケースを重ねて入れた場合であって、上側のＭＤケースを横、下側のＭＤケースを縦にした場合の斜視図である。
【図７】従来の小物入れ装置の、上下で同じ向きのケースを収容部に入れた場合の断面図である。
【図８】従来の小物入れ装置の、上側のケースを縦にして収容部に入れ、下側のケースを横にして収容部に入れた場合の、断面図である。
【符号の説明】
１０　小物入れ装置
２０　底壁
２１　奥壁
２１ａ　奥壁の内面
２２　側壁
２３　収容部
２３ａ　第１の収容部
２３ｂ　第２の収容部
３０　突起
３１　突起の傾斜面
４０　斜面
５１　ＣＤケース
５１ａ　上側のＣＤケース
５１ｂ　下側のＣＤケース
５２　ＭＤケース
５２ａ　上側のＭＤケース
５２ｂ　下側のＭＤケース
【図１】
2004042733.tif 000003
【図２】
2004042733.tif 000004
【図３】
2004042733.tif 000005
【図４】
2004042733.tif 000006
【図５】
2004042733.tif 000007
【図６】
2004042733.tif 000008
【図７】
2004042733.tif 000009
【図８】
2004042733.tif 000010